(57)【特許請求の範囲】
【請求項１】
任意長さの三角杭の頭部の角及び長手方向の角が面取りされ且つこの三角杭を二体同時に製造するいわゆる二連式の三角杭の型枠であって、長手方向に面取り部を有した内型２ａ、２ｂを対称的に一体化して成る内型２が台に設置され、この内型２ａ、２ｂの一長手方向全長に対して、面取り部を有する外型３ａ、３ｂ夫々を同時に対称的にスライドさせてこの一長手方向全長を合体させる又はその合体を離体いわゆる分割させるローラー手段及び前記合体状態を保持し又は前記合体を解除するクランプ手段を備え、前記内型２及び前記外型３の合体時における長手方向端面の夫々を閉鎖・開放自在とする鏡型４ａ、４ｂを、夫々外型３との間に設けた連結体にて外型３と着脱可能にして台に備え、この鏡型４ａ、４ｂの一方の頭部側である鏡型４ａおよび内型２外型３の頭部側端縁部に面取り部材を設け、前記、内型２外型３の端面にとろもれ防止の為のパッキンを設けた構造であることを特徴とする三角杭の型枠。
【発明の詳細な説明】
【０００１】
【発明の属する技術分野】
本発明は、一般住宅の基礎杭として用いるＲＣコンクリート三角杭を成形する型枠に関するものであり、詳しくは、三角形状の杭の、杭頭部の角と杭全長の角を面とりして且つ、２本同時に成形する即ち、２連式の三角杭の型枠に関するものである。
【０００２】
【従来の技術】
従来、ＲＣコンクリートの三角杭は、予め三角形状に組み立てた鉄筋を型枠内に入れコンクリートを注入して成形が行われていた。
その型枠は図１０の従来図に示すように、内型と外型が一体で且つ、三角杭を２本同時に整形するもので２連の内型が固着してＷ字状を成し、その長手方向両端を、鏡型（図示せず）が脱着自在に閉鎖し、それを上から閉鎖する閉鎖体を外型の一方に開閉可能に取付けたものであった。
【０００３】
しかし、それではＷ字状の型枠の両端を鏡型で閉鎖し、コンクリートを注入した後に、閉鎖体でＷ字状の型枠上面を閉鎖するわけであるが、鏡型との間に隙間ができてとろもれが生じて杭体の強度が減少し、又、仕上った杭体の杭頭や長手方向の角が面とりされていないため、打設時に杭の角が欠けやすかったり、製品としての仕上りにきれいさに欠け見張えのしない、更には型枠がＷ字状の一体化したものであるために製品の脱型時に取り出しづらい等の問題点があった。
【０００４】
【発明が解決しようとする課題】
本発明は、上記のような問題点を解決するためになされたものであり、とろもれのしない、杭頭と杭全長の角を面とりができ、仕上った杭を取り出しやすい三角杭の型枠を提供することを課題とする。
【０００５】
【課題を解決するための手段】
本発明は、上記課題を解決するために、（イ）内型２ａ，２ｂの上部をくの字状に曲げ下部を略Ｌ字状に曲げ、それらを背中合わせに一体化し、該内型２は台１１で固定し、それにＣ形鋼１３を背中合わせにして固着し、内型２の長手方向に適当間隔で複数取付けそれに足１７を取付ける。
（ロ）外型３ａ，３ｂの上部をくの字状に曲げ上記、内型２ａ，２ｂと各々対向させ、それら外型３の側面に長板１５を取付けると共に補強板１６を適当間隔で複数取付け、ローラー１４を複数個連結して成るローラー体１２がスライド可能に上記、Ｃ形鋼１３の各々に対称に取付け、該ローラー体の一部を外型３ａ，３ｂに固着する。
（ハ）上記、長板１５にクランプ１８を適当間隔で複数取付け、該クランプ１８はロッド１９と一体に固着し上記、台１１に穴をあけロッド１９を通しナット２０で係止し、外型３ａ，３ｂが上記ローラー１４でスライドして内型２ａ，２ｂに一体化を保持し又は解除して２分割可能にするクランプ手段を構成する。
（ニ）上記、外型３ａと外型３ｂの上面に固定金具９を対向させ且つ、適当間隔で複数取付け、それに架ける緊張棒１０を備える。
（ホ）内型２に外型３ａ，３ｂが一体時にその長手方向端面を閉鎖する鏡型４ａ，４ｂを台１１に開閉可能に取付け、外型３と鏡型４の側面に連結体２３を架ける
（ヘ）外型３の長手方向端面に突起６を設け、それと適合する鏡型４に孔７を設ける。
（ト）略Ｌ字状に曲げた内型２の底全長と、鏡型４が閉鎖時当接する内型２および外型３の縁にとろもれ防止であるパッキン５を取付け、杭頭を成形する方の内型２および外型３の縁と鏡型４に、各々が適合する面とり部材８を取付ける。
以上の如く構成にしたことを特徴とする。
【０００６】
尚、ここでいう内型、外型とは２分割可能である型枠を説明する上で区分けする意味で使用するものであり、ここでいう鏡型とは、内型が外型に一体時にその両端面を閉鎖する型枠を説明上区分けする意味で使用するものである。
【０００７】
【発明の実施の形態】
本発明の一実施の形態を以下、図面に基づいて説明する。
図１は、本発明の一実施の形態を示す斜視図である。
内型２ａ，２ｂが背中合わせに一体化し、それに対向して外型３ａ，３ｂが、一体化しそれらの両端面を鏡型４ａ，４ｂが閉鎖した型枠１であって、それに予め三角形状に組み立てた鉄筋に吊上げ筋２１を突出させて配筋したものを入れ、コンクリートを注入した後、外型３ａ，３ｂの上面に取付けた固定金具９間に緊張棒１０を架けわたし、外型３ａ，３ｂがコンクリートの重圧で内型２ａ，２ｂから離れようとするのを強固に補強しているものである。
しかる後に、コンクリートが固まって三角杭２２が仕上っている状態を示しているものである。
【０００８】
図２は、図１の型枠の構造の鏡型を取外した場合の側面図である。
これにより図１の構造を詳しく説明すると、内型２ａ，２ｂの上部をくの字状に曲げ下部を略Ｌ字状に曲げ、それらを背中合わせに一体化し、該内型２は台１１で固定され、それにＣ形鋼１３が背中合わせになったものが固着し、更に、足１７が取付けている。
そして、Ｃ形鋼１３の中にローラー１４を複数個連結して成るローラー体１２がスライド可能に取付けている。尚、背中合わせに取付けたもう一方のＣ形鋼１３にも同様のローラー体１２が対称にスライド可能に取付けている。
該ローラー体１２の一部が外型３ａと、もう一方のローラー体１２体の一部が外型３ｂと固着しているものである。
又、外型３ａ，３ｂに取付けられた長板１５に、クランプ１８が取付けられ、該クランプ１８はロッド１９と一体に固着し、台１１に穴をあけてロッド１９を通しナットで係止している。
更に、内型２ａ，２ｂの、略Ｌ字状に曲げた底部の長手方向全長と、端縁にとろもれ防止であるパッキン５が設けられ、外型３ａ，３ｂの端縁にもパッキン５が設けられている。
尚、該端縁に設けたパッキン５は、内型２ａ，２ｂおよび外型３ａ，３ｂの端縁に溝を設けて取付けてもよい。
【０００９】
図２（ａ）は、外型３ａ，３ｂが内型２ａ，２ｂへ一体化した状態を示したものであり、図２（ｂ）は、内型２ａ，２ｂから外型３ａ，３ｂが２分割した状態を示したものである。
尚、これより先は、内型２ａ，２ｂに対して外型３ａ，３ｂとそれに構成された手段は、対称に且つ同一の作用をするものであるから、同一の符号を付し重複する説明は省略する。
（ａ）図において、外型３を押して内型２に一体化させると追従して、ローラー１４がスライド自在のため外型３と一体成るローラー体１２がスライドし、外型３が内型２に一体化成ることを容易にする。そこで、クランプ１８を締結することにより、追従して、ロッド１９が引っ張られると共にナット２０が台１１壁で係止し、外型３が内型２の略Ｌ字状の底部に完全に一体化し、その状態を保持する。
【００１０】
次に（ｂ）図において、クランプ１８の締結を解除すると、追従して、外型３の内型２に対しての一体化がゆるみ、ローラー１４によりローラー体１２のスライドを自在にするゆえ台１１壁に係止したナット２０を支点としてロッド１９が所要範囲内でゆるんで外型３が所要範囲で２分割を可能にし、内型２との間に隙間ができるものである。
【００１１】
このことにより、内型２の上部と外型３の上部が対向してくの字状に曲がっているので、又、内型２の底部が略Ｌ字状に曲がっているので、コンクリートを注入した際、三角杭の長手方向全長の角が面とりした三角杭が成形できるものである。
更に、仕上った三角杭２２を脱型する場合、外型３が内型２からローラー１４によりスライド可能となり２分割して内型２との間に隙間ができ、製品を取出しやすくするものである。
更には、とろもれ防止であるパッキン５が、内型２に外型３が一体化時における底部からのとをもれを防止し、後述する鏡型４が、閉鎖時におけるとろもれ防止をする効果を奏するものである。
【００１２】
図３は、図２のローラー体の形態を示す斜視図である。
台１１に取付けられたＣ形鋼１３の中に、ローラー１４が２個連結して成るローラー体１２は略Ｌ字状を形成し、その一部が外型３ｂに固着している状態を示しているものである。
尚、図では見えないが、上記、Ｃ形鋼の背中には、もう一つのＣ形鋼が固着されて台１１に取付けられ、これと同様のローラー体１２が対称に取付けられるものである。
そして、Ｃ形鋼１３の中をローラー１４でスライド自在なローラー体１２と外型３は固着しているため相互に追従して作動するものである。
【００１３】
図４は、図１の杭底を形成する構造の形態を示す斜視図である。
図において、三角杭２２が形成なり、鏡型４ｂを開き、外型３ｂをスライドして拡げた状態を示しており、内型２ｂおよび外型３ｂの端縁にとろもれ防止であるパッキン５が取付けられている。
これにより、鏡型４ｂが閉鎖時はパッキン５が鏡型４ｂに密着して、とろもれを防止するものである。
又、外型３ｂ端面には突起６が設けられ、それに適合する鏡型４ｂに孔７を設け、鏡型４ｂの閉鎖時には完全に内型２ｂ，外型３ｂの端縁と密着するようになっているものである。
【００１４】
図５は、図１の杭頭を成形する構造の形態を示す斜視図である。
内型２，外型３の端縁に面とり部材８を取付け、それらと適合する鏡型４ａの所定個所にも面とり部材８をを設けている。
該面とり部材８は断面三角形状をした棒状であり、上記３個所に取付けた面とり部材８が適合して杭頭の角を面とりする構成になっているものである。
尚、該面とり部材８に、ゴムを貼着してもよく、ゴムで三角部材を形成してもよい。
これにより、三角杭２２の杭頭の角が面とりできるので、打設の際、角が欠けることがない効果を奏するものである。
【００１５】
図６は、図１の固定具及び緊張棒の形態を示す斜視図である。
外型３ａおよび外型３ｂの上面に固定金具９が対向して取付けられ、それに緊張棒１０が架けわたっている。
該緊張棒１０は２種類のものが取付けられる。一つは、丸棒の両端をネジを切り、それにナットを通し固定金具９をはさんでナットで締付けるもの、もう一つは、丸棒の両側を略Ｌ字状に曲げたものである。その２種類の緊張棒１０が適宜使用されている。
それにより、先に述べたクランプ手段で外型３を締結し、更に、この緊張棒１０で締結を補強するものである。
【００１６】
図７は、図１の連結体の形態を示す斜視図である。
図において、鏡型４の側面にコ字状の取付台座２４を取付けている。
次に、上下に位置する鋼板２５と鋼板２５の間に支持体２６が間をあけて位置し、該支持体は湾曲部を有し、先端がＴ字に形成したＴ字棒２７と一体になっていて、それら鋼板２５，支持体２６，鋼板２５の端側を上からピン２８を貫通し支持体２６が回転自在になって支持体本体を構成している。又、該支持体２６は湾曲部を有し（図示せず）且つ、回動可能になっているものである。
上記、支持体本体が、上記、取付台座２４の間に位置し、鋼板２５が取付台座２４に溶着されていて、主軸２９がその取付台座２４と鋼板２５を貫通し且つ固着されている。又、上記、回動自在な支持体２６の湾曲部が主軸２９外周面にやや離れて位置している。そして、外型３側面に上記、Ｔ字棒２７が架かる受金具３０を取付けて連結体２３を構成しているものである。
尚、主軸２９は頭部に持手が固着されているものである。
【００１７】
従って、鏡型４を閉鎖させる時には、主軸２９の持手を外型３方向へ廻しておいて、Ｔ字棒２７を受金具３０に架け、主軸２９の持手を反対方向へ廻すと主軸２９を支点として、主軸２９と一体の鋼板２５が共に廻り支持体２６及びＴ字棒２７が引っ張られる「テコの原理」により、鏡型４が閉鎖される。
逆に、鏡型４を開く時には、主軸２９の持手を外型３方向へ廻すと鋼板２５も共に廻り支持体２６及びＴ字棒２７が押されて受金具３０から外れ鏡型４を開くことができるものである。
【００１８】
図８は、本発明の三角杭の型枠で成形した三角杭の斜視図であり、杭頭と杭全長の角を面とりして成形なることを示すものである。
【００１９】
図９は、図８の杭底を示す側面図であり、杭底の角だけが面とりされていない角のある形態を示すものである。
【００２０】
【発明の形態】
以上のように、本発明の三角杭の型枠は、内型と外型がローラー手段で一体化又は２分割可能であるから製品を脱型しやすく型枠内の清掃もしやすくなった。又、内型の上部をくの字に曲げ下部を略Ｌ字状に曲げ、外型の上部もくの字に曲げ、それらの端縁にパッキンを取付け、杭頭を成形する方の内型と外型と鏡型に各々適合しあう箇所に面とり部材を取付けたので、とろもれのしない且つ、杭頭と杭全長の角を面とりして成形でき、仕上がりがきれいで見映えのする三角杭を成形できるようになった。
【００２１】
更に、この型枠で成形した三角杭は、杭頭の角が面とりされているので打設の際は角が欠けず、打設後の土中では杭面が略三角形状なので密着性があるので摩擦力が高まり、従って支持力も増加しうる三角杭を成形できる型枠である。
【図面の簡単な説明】
【図１】本発明の一実施の形態を示す斜視図である。
【図２】図１の型枠の構造を示す鏡型を取外した場合の側面図である。
【図３】図２のローラー体の形態を示す斜視図である。
【図４】図１の杭底を形成する構造の形態を示す斜視図である。
【図５】図１の杭頭を形成する構造の形態を示す斜視図である。
【図６】図１の固定金具及び緊張棒の形態を示す斜視図である。
【図７】図１の連結体の形態を示す正面図である。
【図８】本発明の三角杭の型枠で成形した三角杭の斜視図である。
【図９】図８の杭底を示す側面図である。
【図１０】（ａ），（ｂ）は、従来例の型枠の開閉体の開閉した状態を示す鏡型を取外した場合の側面図である。
【符号の説明】
１  型枠
２  内型
３  外型
４  鏡型
５  パッキン
６  突起
７  孔
８  面とり部材
９  固定金具
１０  緊張棒
１１  台
１２  ローラー体
１３  Ｃ形鋼
１４  ローラー
１５  長板
１６  補強板
１７  足
１８  クランプ
１９  ロッド
２０  ナット
２１  吊上げ筋
２２  三角杭
２３  連結体
２４  取付台座
２５  鋼板
２６  支持体
２７  Ｔ字棒
２８  ピン
２９  主軸
３０  受金具
【図１】
0003680290.tif 000002
【図２】
0003680290.tif 000003
【図３】
0003680290.tif 000004
【図４】
0003680290.tif 000005
【図５】
0003680290.tif 000006
【図６】
0003680290.tif 000007
【図７】
0003680290.tif 000008
【図８】
0003680290.tif 000009
【図９】
0003680290.tif 000010
【図１０】
0003680290.tif 000011